(57)【要約】【課題】タッチパネルの１つの電極に対して複数の機能を割り当てることのできる加熱調理器を得る。【解決手段】上部が開口した箱状の本体ケース１と、本体ケース１の上部開口を覆い、被加熱物を載置可能な天板２と、天板２の一部に設けられた光透過性の操作表示窓２０と、天板２の下方に配設された加熱手段５Ｌ、５Ｒと、操作表示窓２０の下方に配置され、透光性を有する透明基板６１上に設けられた印刷の施されていない透明電極膜６２を有する静電容量式のタッチパネル装置６０と、タッチパネル装置６０の下面側に重ねて配置される液晶装置８０と、を備えた。【選択図】図４
2011216386.tif 000002
【特許請求の範囲】
【請求項１】
上部が開口した箱状の本体ケースと、
前記本体ケースの上部開口を覆い、被加熱物を載置可能な天板と、
前記天板の一部に設けられた光透過性の操作表示窓と、
前記天板の下方に配設された加熱手段と、
前記操作表示窓の下方に配置され、光透過性を有する透明基板上に設けられた印刷の施されていない透明電極膜を有する静電容量式のタッチパネル装置と、
前記タッチパネル装置の下面側に重ねて配置される表示装置と、を備えた
ことを特徴とする加熱調理器。
【請求項２】
前記表示装置は、複数の表示内容を切り換え表示し、
前記表示装置の表示内容と、前記タッチパネル装置におけるタッチ位置とに応じて前記加熱手段を駆動制御する加熱制御手段を備えた
ことを特徴とする請求項１記載の加熱調理器。
【請求項３】
前記天板の操作表示窓の下面と、前記タッチパネル装置の上面のうち少なくとも前記表示装置の表示範囲に対応する範囲とを、光透過性を有する透明両面テープで貼り合わせた
ことを特徴とする請求項１又は請求項２記載の加熱調理器。
【発明の詳細な説明】
【技術分野】
【０００１】
本発明は、天板を介して操作可能なタッチパネルを備えた加熱調理器に関する。
【背景技術】
【０００２】
従来、天板の上方から操作可能なタッチパネルを操作部として備えた加熱調理器がある。このような加熱調理器として、透明性ガラス板で構成された「トッププレート７」を備え、「前記接触部４０はトッププレート７の上面に導電性塗料を印刷することにより構成されている。各接触部４０の表面には、タッチスイッチ３７の機能を示す文字や記号が印刷されている。従って、前記接触部４０は、タッチスイッチ３７について使用者が接触する領域を確定すると共に、前記タッチ検出電極４１との間で等価的にコンデンサを形成する導電性補助電極としても機能する」という技術が提案されている（例えば、特許文献１参照）。
【先行技術文献】
【特許文献】
【０００３】
【特許文献１】特許４１８８４０５号公報（第５頁、図４）
【発明の概要】
【発明が解決しようとする課題】
【０００４】
上記特許文献１によれば、天板の表面に印刷された文字や記号により、使用者がタッチすべき箇所が把握できるようになっている。
しかしながら、タッチパネルを構成する各タッチ検出電極は、その上方に位置する天板表面に印刷された文字等が示す一つの機能（例えば「入」や「切」）を実現するのみである。すなわち、各タッチ検出電極は、固定的に割り当てられた機能を実現するのみであるので、複数の機能を実現するためにはタッチパネル全体のサイズを大きくする必要があった。また、使用者の操作性の観点からは一つの機能を実現するためのタッチ領域は大きい方がよいが、一つのタッチ領域を大きくするとタッチパネル全体で実現できる機能の数が減ってしまう。
【０００５】
本発明は、上記のような課題を解決するためになされたものであり、タッチパネルの一つの電極に対して複数の機能を割り当てることのできる加熱調理器を提供するものである。
【課題を解決するための手段】
【０００６】
本発明に係る加熱調理器は、上部が開口した箱状の本体ケースと、前記本体ケースの上部開口を覆い、被加熱物を載置可能な天板と、前記天板の一部に設けられた光透過性の操作表示窓と、前記天板の下方に配設された加熱手段と、前記操作表示窓の下方に配置され、光透過性を有する透明基板上に設けられた印刷の施されていない透明電極膜を有する静電容量式のタッチパネル装置と、前記タッチパネル装置の下面側に重ねて配置される表示装置と、を備えたものである。
【発明の効果】
【０００７】
本発明に係る加熱調理器は、天板の一部に設けた光透過性の操作表示部の下面側にタッチパネル装置を設け、タッチパネル装置の下面側に重ねて表示装置を設けた。したがって、表示装置の表示内容を切り換えることで、タッチパネル装置の透明電極膜に対して複数の機能を割り当てることができる。
【図面の簡単な説明】
【０００８】
【図１】実施の形態に係る加熱調理器の斜視図である。
【図２】実施の形態に係る加熱調理器の天板とその周辺構造を示す斜視図である。
【図３】実施の形態に係る加熱調理器の天板とその周辺構造を示す分解図である。
【図４】実施の形態に係る加熱調理器のタッチパネル装置の取付構造を説明する図である。
【図５】実施の形態に係る加熱調理器の操作表示部を説明する図である。
【発明を実施するための形態】
【０００９】
実施の形態．
本実施の形態では、いわゆるビルトイン式の加熱調理器を例に説明する。このビルトイン式の加熱調理器は、キッチンＫに設けられた開口部に対して上方より挿入されて、キッチンＫのトッププレートと加熱調理器の天面とが略同一面に構成されるようにして使用される加熱調理器である。
図１は実施の形態に係る加熱調理器の斜視図、図２は天板とその周辺構造を示す斜視図、図３は天板とその周辺構造の分解図である。
【００１０】
［加熱調理器の全体構成］
図１〜図３を参照して本実施の形態に係る加熱調理器の全体構成を説明する。
加熱調理器１００は、上面を開口したほぼ直方体の本体ケース１と、本体ケース１の上面開口を覆う天板２を備える。また、天板２の手前側には、加熱コイル５Ｌ、５Ｒやグリル加熱室の加熱源の加熱／停止の信号、加熱温度、加熱モード設定など各種信号の入力を受け付けるとともに、加熱温度や動作状態などを表示するタッチパネル式の操作表示部４が設けられている。
【００１１】
本体ケース１の内部には、加熱源として加熱コイル５Ｌ、５Ｒが左右並べて２つ配置されている。天板２の上面には、２つの加熱コイルの大まかな位置を示す円形の案内マーク３Ｌ、３Ｒが、それぞれ印刷などの方法で設けられている。
本体ケース１の内部には、シーズヒータなどの輻射式電気加熱源を備えたグリル加熱室（図示せず）が区画形成されていて、このグリル加熱室の前面開口は、本体ケース１の前面側に設けられたドア６によって開閉自在に覆われている。
本体ケース１の前面側には、加熱調理器１００の主電源をオン／オフする主電源ボタン７と、加熱コイル５Ｌの火力を調整する火力調整ダイアル８Ｌと、加熱コイル５Ｒの火力を調整する火力調整ダイアル８Ｒとが設けられている。
また、本体ケース１の内部には、加熱コイル５Ｌ、５Ｒを駆動制御する制御部９が設けられている。
【００１２】
天板２は、全体が耐熱強化ガラスや結晶化ガラス等の材料で構成されていて、天板２の前後左右側縁は外周フレーム１０により保持されている。天板２の手前側には、光透過性を有し印刷等が施されていない透明な領域である操作表示窓２０が設けられている。例えば被加熱物の滑り止めを目的として天板２の表面に印刷が施される場合があるが、そのような滑り止め印刷等を、操作表示窓２０には設けないようにしておく。
【００１３】
外周フレーム１０は、図３に示すように、天板２の前縁を覆うフロントフレーム１１と、天板２の左右の縁を覆うサイドフレーム１２と、天板２の後縁を覆うバックフレーム１３とを備える。天板２の前後左右の縁と外周フレーム１０との間には、ゴム製パッキンやシール材（図示せず）が介在し、両者は水密状態に固定される。
【００１４】
天板２の下側には、ベースフレーム５０が設けられている。ベースフレーム５０は、大まかには額縁形状を有し、天板２と本体ケース１とに挟まれた位置に配置されていて、天板２の下面を額縁状に支持している。ベースフレーム５０の外周端は、ほぼ全周にわたって上方に折り曲げられて外周壁５１が形成されている。この外周壁５１の内側に、天板２を収容可能になっている。
ベースフレーム５０の前側の枠には、後述するタッチパネル装置６０と平面視ほぼ同面積で、タッチパネル装置６０を嵌合可能な窓部５６が形成されている。
【００１５】
操作表示部４は、本実施の形態では、天板２に設けられた操作表示窓２０、操作表示窓２０の下側に配置されたタッチパネル装置６０、及びタッチパネル装置６０の下面側に重ねて配置された液晶装置８０により構成される。
【００１６】
タッチパネル装置６０は、いわゆる表面型静電容量式のタッチパネルである。タッチパネル装置６０は、例えばガラスやポリカーボネート板などで構成された透明な基板６１と、印刷の施されていない透明電極膜６２とを備えている。本実施の形態では、透明電極膜６２は、複数の透明電極膜６２ａ〜６２ｌに区分けされていて（後述する図５参照）、各透明電極膜６２ａ〜６２ｌは、個別に静電容量の変化を検出可能である。タッチパネル装置６０は、検出した静電容量の変化に基づいて使用者の指によりタッチされた位置を検出し、この位置情報を制御部９に伝える。
なお、本実施の形態では表面型静電容量式のタッチパネル装置を例に説明するが、いわゆる投影型静電容量式のタッチパネル装置を用いてもよい。
【００１７】
液晶装置８０は、タッチパネル装置６０の下面側に重ねて配置される。液晶装置８０は、液晶パネルと、液晶パネルを駆動制御する駆動回路とを備えていて、例えば加熱／停止、温度上昇／低下、及び種々の加熱メニューなどを示す文字や画像を切り換え表示することができる。
【００１８】
タッチパネルホルダー７０は、タッチパネル装置６０と液晶装置８０とを収容する部材である。タッチパネルホルダー７０は、タッチパネル装置６０及び液晶装置８０を天板２側に向かって押し上げ、天板２とタッチパネル装置６０との間の所定距離を保つ。
【００１９】
前側カバー３０は、本体ケース１の前面側かつタッチパネルホルダー７０の下側に取り付けられるカバーである。前側カバー３０は、キッチンＫの開口部に加熱調理器１００を挿入したとき、キッチンＫの開口部の壁面と接して加熱調理器１００を保護する。
【００２０】
制御部９は、本発明の加熱制御手段に相当し、火力調整ダイアル８Ｒ、８Ｌや、操作表示部４への使用者による入力に応じて、加熱コイル５Ｌ、５Ｒの加熱動作を制御する。また、制御部９は、火力調整ダイアル８Ｒ、８Ｌや、操作表示部４への使用者による入力に応じて、液晶装置８０における表示内容を制御する。制御部９は、これらの機能を実現する回路デバイスなどのハードウェアを用いて構成してもよいし、マイコンやＣＰＵ（Ｃｅｎｔｒａｌ  Ｐｒｏｃｅｓｓｏｒ  Ｕｎｉｔ）などの演算装置とその動作を規定するソフトウェアを用いて構成してもよい。
【００２１】
［タッチパネル装置の取付構造］
図４は、タッチパネル装置６０の取付構造を説明する図である。図４（ａ）は、主要部の分解斜視図を示し、図４（ｂ）は、主要部の積層構造を示している。なお、図４に示す各構成部材の比率の関係は、実際のものとは異なる。
天板２の操作表示窓２０の下面には、両面テープ９０によりタッチパネル装置６０が接合され、タッチパネル装置６０の下側には液晶装置８０が重ねて配置される。両面テープ９０は、光透過性を有し印刷の施されていない透明部材で構成されていて、タッチパネル装置６０の上面のほぼ全面に貼り付けられている。したがって、タッチパネル装置６０の上面と天板２の操作表示窓２０の下面は、両面テープ９０を介して密着した状態である。なお、タッチパネル装置６０の上面のうち両面テープ９０を貼り付ける範囲は、少なくとも液晶装置８０の表示範囲に対応する範囲を含んでいればよい。
図４では図示しないが、タッチパネルホルダー７０によりタッチパネル装置６０と液晶装置８０とが天板２の下面側に固定される。タッチパネルホルダー７０によりタッチパネル装置６０と液晶装置８０とを天板２の下側に組み付けると、使用者は、光透過性の操作表示窓２０（天板２）を介して、タッチパネル装置６０の下側に配置された液晶装置８０に表示された文字や画像などを見ることができる。
【００２２】
ここで、静電容量式のタッチパネルは、使用者の指等が接近することによる静電容量の変化を検出するものであり、使用者の指と透明電極膜６２までの距離ｄが大きいと、静電容量変化ΔＣが小さくなるという特性を持つ（ΔＣ＝ε×Ｓ／ｄ。ただし、εは誘電率、Ｓは電極面積）。このため、静電容量変化の検出精度を高めるためには、使用者の指が触れる部位（天板２の操作表示窓２０）から透明電極膜６２までの距離ｄを短くする必要がある。
上述したように、天板２の操作表示窓２０の下面に、両面テープ９０によりタッチパネル装置６０の上面を貼り付けることで、タッチパネル装置６０の透明電極膜６２と天板２との距離を短くできる。したがって、タッチパネル装置６０の静電容量変化の検出精度を高めることができる。
【００２３】
また、上述したような静電容量変化ΔＣの特性から、誘電率εが大きいほど静電容量変化ΔＣも大きくなるので、誘電率εを大きくすることでタッチパネル装置６０の検出感度を向上させることができるといえる。例えば、タッチパネル装置６０の透明電極膜６２と天板２との間に空気層を介在させたとすると、空気の誘電率εは約１であって、両面テープ９０など他の物質に比べて低いことから、タッチパネル装置６０の検出精度が低下する。しかし、本実施の形態では、両面テープ９０によりタッチパネル装置６０を貼り付けることで、天板２とタッチパネル装置６０の透明電極膜６２との間の空気層を排除しているので、タッチパネル装置６０の静電容量変化の検出精度を高めることができる。
【００２４】
また、天板２と、タッチパネル装置６０を構成する基板６１とによってニュートンリング（干渉縞）が生じる可能性があった。ニュートンリングを低減するためには、天板２と基板６１との間に所定の間隙を設けることも考えられるが、こうすると、天板２と透明電極膜６２との距離ｄが離れて、タッチパネル装置６０の検出精度の低下に繋がってしまう。
しかし、本実施の形態では、天板２の操作表示窓２０の下面にタッチパネル装置６０の上面全面を両面テープ９０により貼り付けるので、操作表示窓２０とタッチパネル装置６０の基板６１との距離を小さくするとともにこの距離を均一にできる。このため、タッチパネルの検出精度を低下させることなく、透明な操作表示窓２０と透明な基板６１とにより生じうるニュートンリング（干渉縞）を低減することができる。
【００２５】
［操作表示部の動作］
図５は、操作表示部４の動作を説明する図であり、図５（ａ）と図５（ｂ）は、液晶装置８０の異なる表示例を示している。
図５（ａ）において、液晶装置８０には、「切／入」の文字により加熱の有無を示す表示エリア８１と、「とろ火」や「１」「２」などの数字により火力を示す表示エリア８２ａ〜８２ｊ（以下、表示エリア８２と総称する場合がある）と、「メニュー」の文字を表示する表示エリア８３とが表示されている。表示エリア８１、表示エリア８２ａ〜８２ｊ、表示エリア８３は、それぞれ、タッチパネル装置６０の透明電極膜６２ａ〜６２ｌに対応する位置に表示されていて、各表示エリア上で使用者の指が天板２の操作表示窓２０に触れると、使用者の指が接近することによる静電容量の変化をタッチパネル装置６０が検出する。静電容量の変化に関する情報は制御部９に伝えられ、制御部９は、静電容量の変化を検出した透明電極膜６２の位置に応じて、加熱コイル５Ｌ、５Ｒや液晶装置８０の動作を制御する。
【００２６】
ここで、使用者の指が「メニュー」の文字を表示する表示エリア８３上で天板２に触れると、表示エリア８３上の透明電極膜６２ｌによる静電容量の変化が検知され、検知した情報が制御部９に伝えられる。そうすると、制御部９は、液晶装置８０の表示を図５（ｂ）に示す表示内容に切り換える。
【００２７】
図５（ｂ）において、液晶装置８０には、図５（ａ）における表示エリア８２の位置に、「前」「次」の文字により他の画面に切り換えることを示す表示エリア８４ａ、８４ｂ（以下、表示エリア８４と総称する場合がある）と、「予熱」などの文字や図形との組み合わせにより加熱メニューを示す表示エリア８５ａ〜８５ｄ（以下、表示エリア８５と総称する場合がある）とが表示されている。表示エリア８５ａは、透明電極膜６２ｃ及び透明電極膜６２ｄに対応する位置に表示されている。表示エリア８５ｂ〜８５ｄについても同様に、各々が、２つの透明電極膜に対応してこれらに跨る位置に表示されている。
この図５（ｂ）の表示状態で、例えば、使用者が「前」の文字を表示する表示エリア８４ａに操作入力すると、表示エリア８３上の透明電極膜６２ｌによる静電容量の変化が検知され、検知した情報が制御部９に伝えられる。そうすると、制御部９は、液晶装置８０の表示を前の表示（前の画面）に戻す。なお、表示を切り換える操作入力をした後に所定の時間が経過しても次の操作入力がなされない場合には、自動的に前の表示に戻すように制御してもよい。
【００２８】
このように、図５に示す例では、液晶装置８０による表示内容を切り換えることで、透明電極膜６２ｂ〜６２ｋに異なる機能が割り当てられている。すなわち、透明電極膜６２ｂ〜６２ｋは、図５（ａ）では火力を指示する機能が割り当てられ、図５（ｂ）では加熱メニューのいずれかを指示する機能が割り当てられている。
なお、複数に切り換え表示される液晶装置８０の表示内容のあるパターンにおいては、複数に区分けされた透明電極膜６２（透明電極膜６２ｂ〜６２ｋ）の一部に対応する位置に、表示がなされない場合もある。この場合、透明電極膜６２のうち液晶装置８０の表示と重ならない領域への操作入力は、受け付けないようになっている。
【００２９】
以上のように、本実施の形態によれば、透明な基板６１の上に透明電極膜６２が形成されたタッチパネル装置６０の下面側に重ねて、液晶装置８０を設けた。そして、液晶装置８０の表示内容を切り換えるようにした。このため、透明電極膜６２に複数の機能を割り当てることができる。したがって、操作表示部４は、限られた数の透明電極膜６２に対して、使用者による多様な操作を受け付けることができる。
【００３０】
また、本実施の形態では、天板２の操作表示窓２０の下面と、タッチパネル装置６０の上面全面とを、透明な両面テープ９０で接合した。このため、使用者が触れる天板２の操作表示窓２０とタッチパネル装置６０の透明電極膜６２との距離を短くすることができ、タッチパネル装置６０の静電容量変化の検出精度を高めることができる。
【００３１】
また、天板２の操作表示窓２０の下面にタッチパネル装置６０の上面全面を両面テープ９０により貼り付けるので、操作表示窓２０とタッチパネル装置６０の基板６１との距離を均一にすることができる。このため、透明な操作表示窓２０と透明な基板６１とにより生じうるニュートンリング（干渉縞）を低減することができる。
【符号の説明】
【００３２】
１  本体ケース、２  天板、３Ｌ、３Ｒ  案内マーク、４  操作表示部、５Ｌ、５Ｒ  加熱コイル、６  ドア、７  主電源ボタン、８Ｌ、８Ｒ  火力調整ダイアル、９  制御部、１０  外周フレーム、１１  フロントフレーム、１２  サイドフレーム、１３  バックフレーム、２０  操作表示窓、３０  前側カバー、５０  ベースフレーム、５１  外周壁、５６  窓部、６０  タッチパネル装置、６１  基板、６２  透明電極膜、６２ａ〜６２ｌ  透明電極膜、７０  タッチパネルホルダー、８０  液晶装置、８１〜８５  表示エリア、９０  両面テープ、１００  加熱調理器。
【図１】
2011216386.tif 000003
【図２】
2011216386.tif 000004
【図３】
2011216386.tif 000005
【図４】
2011216386.tif 000006
【図５】
2011216386.tif 000007